(57)【要約】【課題】健康被害の発生をなくすないしは低く抑えることができ、それでいて、年間空調費を低くすることができる、２４時間常時空調システムを提供する。【解決手段】室３と、該室３を空調するエアコン８と、該エアコン８の運転を制御する制御部１０とが備えられ、制御部１０は、一つの時間帯、又は、時間的に間隔をおいた複数の時間帯において、エアコン８に、例えば２０°Ｃの適温を維持する暖房運転を行わせる制御を行うと共に、残り全部の時間帯において、前記エアコン８に、前記適温よりも抑えられた例えば１７°Ｃの抑えめ温度を維持する暖房運転を行わせる制御を行うようになされている。【選択図】      図１
2012026652.tif 000002
【特許請求の範囲】
【請求項１】
室と、該室を空調するエアコンと、該エアコンの運転を制御する制御部とが備えられた２４時間常時空調システムにおいて、
前記制御部は、一つの時間帯、又は、時間的に間隔をおいた複数の時間帯において、前記エアコンに、適温を維持する空調運転を行わせる制御を行うと共に、残り全部の時間帯において、前記エアコンに、前記適温よりも抑えられた抑えめ温度を維持する空調運転を行わせる制御を行うようになされていることを特徴とする２４時間常時空調システム。
【請求項２】
前記室が寝室で、空調が暖房であり、前記制御部は、前記エアコンに、就寝中は前記抑えめ温度を維持する空調運転を行わせる制御を行うと共に、起床時に前記適温となっている空調運転を行わせる制御を行うようになされている請求項１に記載の２４時間常時空調システム。
【発明の詳細な説明】
【技術分野】
【０００１】
本発明は、２４時間常時空調システムに関する。
【背景技術】
【０００２】
高気密・高断熱化された建物おいて、建物内の換気と空調を２４時間常時行い、建物内の室を、空調により、冬季には例えば２０°Ｃ、夏期には例えば２８°Ｃの適温に維持することは、ヒートショックの予防等に効果を発揮しうることから、従来より行われている。
【先行技術文献】
【特許文献】
【０００３】
【特許文献１】特開平９−１４５１２８号公報
【発明の概要】
【発明が解決しようとする課題】
【０００４】
しかしながら、上記のような場合に用いられる従来の２４時間常時空調システムでは、設定された特定の温度が２４時間維持されるように制御する構成となっているため、とても快適ではあるが、年間空調費が高くついてしまうという問題がある。
【０００５】
本発明は、上記のような問題点に鑑み、健康被害の発生をなくす、ないしは、低く抑えることができ、それでいて、年間空調費を低くすることができる、２４時間常時空調システムを提供することを課題とする。
【課題を解決するための手段】
【０００６】
上記の課題は、室と、該室を空調するエアコンと、該エアコンの運転を制御する制御部とが備えられた２４時間常時空調システムにおいて、
前記制御部は、一つの時間帯、又は、時間的に間隔をおいた複数の時間帯において、前記エアコンに、適温を維持する空調運転を行わせる制御を行うと共に、残り全部の時間帯において、前記エアコンに、前記適温よりも抑えられた抑えめ温度を維持する空調運転を行わせる制御を行うようになされていることを特徴とする２４時間常時空調システムによって解決される（第１発明）。
【０００７】
このシステムでは、２４時間常時空調を行う構成であり、室内は、エアコンの積極運転によって、２４時間常時、適温か、または、適温よりも抑えられた抑えめ温度を維持するため、ヒートショック等による健康被害の発生をなくす、ないしは、低く抑えることができる。
【０００８】
しかも、適温を維持する空調運転と、抑えめ温度を維持する空調運転とを組み合わせた構成としていることで、抑えめ温度を維持する空調運転の作用によって年間空調費を低くすることができるし、
更に、適温を維持する空調運転が、抑えめ温度を維持する空調運転に引き続いて行われる構成であるから、抑えめ温度よりももっと抑えられた温度状態、例えば全く空調運転しない場合の屋内の温度から適温状態にする場合に比べて、適温状態にするためのエネルギーコストを低く抑えることができると共に、普通なら例えば１２畳用のエアコンが必要であるところ例えば８畳用のエアコンですませられるというように空調のイニシャルコストも低くでき、その意味からイニシャルコスト及びランニングコストの双方を含む空調費を低くすることができる。
【０００９】
第１発明において、前記室が寝室で、空調が暖房であり、前記制御部は、前記エアコンに、就寝中は前記抑えめ温度を維持する空調運転を行わせる制御を行うと共に、起床時に前記適温となっている空調運転を行わせる制御を行うようになされているとよい（第２発明）。
【００１０】
第２発明は、図３のグラフに示すように、就寝中は、適温であるか抑えめ温度であるかによって血圧値に問題となるような差が現れないという健康調査結果に基づいてなされたもので、就寝中、抑えめ温度を維持する空調運転が行われるようになされているので、健康被害の発生の危険性をなくす、ないしは、少なくしながら、空調費を低くすることができる。
【００１１】
しかも、第２発明は、同図３のグラフに示すように、起床時は適温かそれよりも低い温度かによって血圧値に有意な差ｓが現れやすい傾向があるという事実を突き止め、その健康調査結果にも基づいてなされたものであり、起床時に適温となっている空調運転が行われるようになされているので、起床時の血圧上昇が抑えられ、健康被害の発生の危険性をなくす、ないしは、少なくすることができる。これにより、就寝中の抑えめ温度維持運転と、起床時における適温維持運転との組み合わせ全体から見て、健康被害の発生の危険性をなくす、ないしは、少なくすることができ、それでいて、空調費を低くすることができる。
【００１２】
加えて、起床時における適温維持運転に先立ち、就寝中は、抑えめ温度を維持する空調運転が行われているので、抑えめ温度よりも低い温度状態から適温状態にする場合に比べて、適温状態にするための時間を短くすることができると共に、適温状態にするためのエネルギーコストを低く抑えることができる。
【００１３】
更に、就寝中は、抑えめ温度を維持する空調運転が行われるようになされているので、空調運転をしない場合に比べて快適な眠りを得ることができ、しかも、無理のない体温放散を促すことができる。
【発明の効果】
【００１４】
本発明の２４時間常時空調システムは、以上のとおりのものであるから、健康被害の発生をなくす、ないしは、低く抑えることができ、それでいて、年間空調費を低くすることができる。
【図面の簡単な説明】
【００１５】
【図１】実施形態の空調システムにおける運転制御のスケジュールを示す表である。
【図２】同システムの全体構成を示すもので、建物内部の正面図である。
【図３】就寝中及び起床時における温度と血圧との関係を傾向的に示すグラフである。
【発明を実施するための形態】
【００１６】
次に、本発明の実施形態を図面に基づいて説明する。
【００１７】
図１及び図２に示す実施形態の２４時間常時空調システムにおいて、１は高気密・高断熱化された建物であり、本実施形態では、建物１は、住宅用戸建て建物等の住宅建物からなっていて、該建物１には、高気密化されているのに対応した２４時間常時換気システム２が備えられている。なお、１１は断熱層である。
【００１８】
そして、図２に示す該建物１において、３はＬＤＫ（リビングとダイニングとキッチン）、４は和室、５は主寝室、６は子供室、７は廊下、階段室等の非居室であり、ＬＤＫ３、和室４、主寝室５、子供室６のそれぞれには、ヒートポンプ式のエアコン８と、該エアコン８に制御信号を発する赤外線式等による発信機９とが設けられ、各発信機９…は、ＬＤＫ３に設置された制御部としてのコントローラー１０に接続され、コントローラー１０からの制御信号に基づいて対応するエアコン８に制御信号を発信し、その信号に基づいてエアコン８の運転が制御されるようになされている。なお、非居室７にも、エアコンを設置してその領域の空調が行われるように構成してもよい。
【００１９】
制御の具体的内容を例示的に示すと、コントローラー１０は、冬季には、図１に示すように、
・  ＬＤＫ３に設置されているエアコン８に対し、
・  ６：００〜１１：００の時間帯、及び、１５：００〜２４：００の時間帯の、時間的に間隔をおいた２つの時間帯（ヒトが在室しているであろう時間帯）において、適温である例えば２０°Ｃを維持する暖房運転を行わせる制御を行い、
・  ０：００〜６：００の時間帯、及び、１１：００〜１５：００の、残り全部の時間帯（ヒトが在室していないかもしれない時間帯）において、前記適温よりも抑えられた抑えめ温度である例えば１７°Ｃを維持する暖房運転を行わせる制御を行うようになされており、
・  主寝室５に設置されているエアコン８に対し、
・  ６：００〜８：００の時間帯、及び、２１：００〜２４：００の時間帯（就寝準備及び入床のための時間帯）の、時間的に間隔をおいた２つの時間帯において、適温である２０°Ｃを維持する暖房運転を行わせる制御を行い、
・  ０：００〜６：００の時間帯、及び、８：００〜２１：００（ヒトが在室していないかもしれない時間帯）の、残り全部の時間帯において、前記適温よりも抑えられた抑えめ温度である１７°Ｃを維持する暖房運転を行わせる制御を行い、
・  子供室６に設置されているエアコン８に対し、
・  ６：００〜８：００の時間帯、及び、１６：００〜２４：００の時間帯（ヒトが在室しているであろう時間帯、並びに、就寝準備及び入床のための時間帯）の、時間的に間隔をおいた２つの時間帯において、適温である２０°Ｃを維持する暖房運転を行わせる制御を行い、
・  ０：００〜６：００の時間帯、及び、８：００〜１６：００（ヒトが在室していないかもしれない時間帯）の、残り全部の時間帯において、前記適温よりも抑えられた抑えめ温度である１７°Ｃを維持する暖房運転を行わせる制御を行うようになされている。
【００２０】
ここに、主寝室５及び子供室６の各エアコン８に対する制御は、家族の入床時刻が２３：００であり、起床時刻が７：００であるという情報に基づいて設定されたものであり、０：００〜６：００の就寝時間帯には抑えめ温度を維持する暖房運転を行わせ、起床時刻、即ち、床から出る時刻である７：００〜８：００には室温が適温状態になっているようにするという趣旨である。
【００２１】
なお、図１に示す制御スケジュールにおいて、適温時間帯と抑えめ温度時間帯との境界は、制御が切り換わる時刻を表しており、その時刻における温度は、その時刻前の時間帯の温度であり、その時刻に制御が切り替わって、その時刻から、暖房立ち上がり時間ないしは下がり時間を経過した後に、その時刻後の時間帯の温度になることを表しているものである。
【００２２】
上記の空調システムでは、各室３，４，５，６等を２４時間常時暖房を行う構成であり、室内は、エアコン８…の積極運転によって、２４時間常時、適温か、または、適温よりも抑えられた抑えめ温度を維持するため、ヒートショック等による健康被害の発生をなくす、ないしは、低く抑えることができる。
【００２３】
しかも、適温を維持する暖房運転と、抑えめ温度を維持する暖房運転とを組み合わせた構成としていることで、抑えめ温度を維持する暖房運転の作用によって年間空調費を低くすることができ、
更に、適温を維持する暖房運転が、抑えめ温度を維持する暖房運転に引き続いて行われる構成であるから、抑えめ温度よりも低い温度状態から適温状態に立ち上げる場合に比べて、適温状態にするためのエネルギーコストを低く抑えることができると共に、空調のイニシャルコストも低くすることができて、空調費を低くすることができる。
【００２４】
そして、本実施形態では、家族の寝室となる、主寝室５と子供室６とにおいて、０：００〜６：００の就寝時間帯には抑えめ温度を維持する暖房運転が行われ、起床時刻である７：００〜８：００には室温が適温状態になっているようにする制御が、対応するエアコン８，８に対して行われているようになされているので、
就寝中の血圧上昇による健康被害の発生危険性をなくす、ないしは、少なくすることができると共に、起床時の血圧上昇による健康被害の発生危険性もなくす、ないしは、少なくすることができ、
しかも、就寝時間帯における抑えめ温度を維持する暖房運転によって、空調費を低くすることができると共に、
起床時における適温維持暖房運転に先立ち、就寝中は、抑えめ温度を維持する空調運転が行われているので、抑えめ温度よりも低い温度状態から適温状態に温度を上げる場合に比べて、適温状態にするための時間を短くすることができると共に、適温状態にするためのエネルギーコストも低く抑えることができる。
【００２５】
更に、就寝中は、抑えめ温度を維持する暖房運転が行われるようになされているので、眠りが快適であると共に、無理のない体温放散が促される。
【００２６】
以上に、本発明の実施形態を示したが、本発明はこれに限られるものではなく、発明思想を逸脱しない範囲で各種の変更が可能である。例えば、上記の実施形態では、冬季暖房時を対象とした制御内容を示したが、第１発明は、夏期冷房時を対象とした制御内容のシステムをも含んでおり、夏期の場合は、適温は例えば２８°Ｃ、抑えめ温度は例えば３０°Ｃに設定されて制御が行われる。
【符号の説明】
【００２７】
１…住宅用戸建て建物（住宅用建物、建物）
３…ＬＤＫ（室）
４…和室（室）
５…主寝室（室）
６…子供室（室）
８…エアコン
１０…コントローラー
【図１】
2012026652.tif 000003
【図２】
2012026652.tif 000004
【図３】
2012026652.tif 000005